(57)【要約】      （修正有）【課題】カメラ部がスライド方向に広く配置されているスマートフォンにおいて、カメラ撮影時にスマートフォン用カバーから脱着することなく、カメラ部をスマートフォン用カバー外へ十分にスライドすることができるスライド式スマートフォン用カバーを提供する。【解決手段】固定部材２を設置した保持台３が受け部４において上下にスライドする上下スライド式パーツ５を備えたスライド式スマートフォン用カバーであって、上下スライド式パーツが、スライド方向におけるスマートフォンの長さに対して２０％以上５０％以下の割合でスライドすることを特徴とする。【選択図】図１
0003225842.tif 000002
【実用新案登録請求の範囲】
【請求項１】
上下スライド式パーツを備えたスライド式スマートフォン用カバーであって、
前記上下スライド式パーツが、スライド方向におけるスマートフォンの長さに対して２０％以上５０％以下の割合でスライドすることを特徴とする、スライド式スマートフォン用カバー。
【請求項２】
前記スマートフォンの固定位置が、前記上下スライド式パーツの受け部表面及び前記上下スライド式パーツを設置した面のスマートフォン用カバー表面から垂直方向に３ｍｍ以上の距離を有することを特徴とする、請求項１に記載のスライド式スマートフォン用カバー。
【請求項３】
前記上下スライド式パーツとスマートフォンの固定に、粘着面における気泡の発生を抑制する切り込み部を備える粘着シートを使用することを特徴とする、請求項１又は２に記載のスライド式スマートフォン用カバー。
【請求項４】
上下スライド式パーツを備えたスライド式スマートフォン用カバーであって、
前記スライド式スマートフォン用カバーに固定するスマートフォンの固定位置が、前記上下スライド式パーツの受け部表面及び前記上下スライド式パーツを設置した面のスマートフォン用カバー表面から垂直方向に３ｍｍ以上の距離を有することを特徴とする、スライド式スマートフォン用カバー。
【請求項５】
前記上下スライド式パーツが、スライド方向におけるスマートフォンの長さに対して２０％以上５０％以下の割合でスライドすることを特徴とする、請求項４に記載のスライド式スマートフォン用カバー。
【請求項６】
前記上下スライド式パーツとスマートフォンの固定に、粘着面における気泡の発生を抑制する切り込み部を備える粘着シートを使用することを特徴とする、請求項４又は５に記載のスライド式スマートフォン用カバー。
【考案の詳細な説明】
【技術分野】
【０００１】
本考案は、スマートフォンを固定した状態でスライドすることができるスライド式スマートフォン用カバーに関するものである。
【背景技術】
【０００２】
スマートフォンは、落下、衝突などにより損傷や破損が生じやすいため、多くのスマートフォン利用者は、それらを防止する専用のカバーを使用する。スマートフォン用カバーとして、例えば、特許文献１には、様々な形状のスマートフォンを粘着シートを介して取り付けることができ、スマートフォンのカメラを用いて撮影する際に脱着する必要のないスライド式マルチスマートフォンカバーが開示されている。
【先行技術文献】
【特許文献】
【０００３】
【特許文献１】実用新案登録第３１９４９２６号公報
【考案の概要】
【考案が解決しようとする課題】
【０００４】
スマートフォンにおけるカメラ部の面積は、広角レンズ、超広角レンズ、望遠レンズなど複数のカメラレンズを有することにより大きくなる。これにより、従来のスライド式スマートフォン用カバーでは、カメラ部の配置がスライド方向に広くなったスマートフォンのカメラ部がスマートフォン用カバー外へ十分にスライドすることができないという問題点がある。そのため、カメラ部の面積が大きいスマートフォンにおいても使用することができるスライド式スマートフォン用カバーが望まれている。
【０００５】
したがって、本考案の課題は、カメラ部がスライド方向に広く配置されているスマートフォンにおいて、カメラ撮影時にスマートフォン用カバーから脱着することなく、カメラ部をスマートフォン用カバー外へ十分にスライドすることができるスライド式スマートフォン用カバーを提供することである。
【課題を解決するための手段】
【０００６】
本考案者は、上記課題について鋭意検討した結果、スマートフォン用カバーに備える上下スライド式パーツのスライド可動範囲を、スライド方向におけるスマートフォンの長さに対して２０％以上５０％以下の割合とすることにより、カメラ部が広く配置されているスマートフォンであっても、カメラ部をスマートフォン用カバー外へ十分にスライドすることができるスライド式スマートフォン用カバーを提供することができるという知見に至り、本考案を完成した。
【０００７】
すなわち、本考案は、以下の［１］〜［３］を提供する。
［１］上下スライド式パーツを備えたスライド式スマートフォン用カバーであって、前記上下スライド式パーツが、スライド方向におけるスマートフォンの長さに対して２０％以上５０％以下の割合でスライドすることを特徴とする、スライド式スマートフォン用カバー。
このスライド式スマートフォン用カバーによれば、適切なスライド距離を確保することにより、カメラ部の配置に影響することなく十分なスライド幅を発揮することができる。
［２］前記スマートフォンの固定位置が、前記上下スライド式パーツの受け部表面及び前記上下スライド式パーツを設置した面のスマートフォン用カバー表面から垂直方向に３ｍｍ以上の距離を有することを特徴とする、［１］に記載のスライド式スマートフォン用カバー。
この特徴によれば、スマートフォンとスライド式スマートフォン用カバー表面の間に適切な距離を設けることにより、スマートフォン表面の凹凸構造に影響することなく滑らかなスライドを発揮することができる。
［３］前記上下スライド式パーツとスマートフォンの固定に、粘着面における気泡の発生を抑制する切り込み部を備える粘着シートを使用することを特徴とする、［１］又は［２］に記載のスライド式スマートフォン用カバー。
この特徴によれば、粘着シートの粘着面とスマートフォンとの間に形成された気泡内の空気を切り込み部から取り除くことが可能となるので、スマートフォンとの固定に優れたスライド式スマートフォン用カバーを提供することができる。
【０００８】
また、カメラ部の厚みが他の筐体部に対して大きくなっているスマートフォンでは、スライド時にカメラ部がスライド式スマートフォン用カバーに引っかかるという課題もある。
そして、上下スライド式パーツとスマートフォンの固定位置について、上下スライド式パーツの受け部表面及び上下スライド式パーツを設置した面のスマートフォン用カバー表面から垂直方向に３ｍｍ以上の距離を設けることにより、カメラ部に厚みのあるスマートフォンであっても、カメラ部をスマートフォン用カバー外へ滑らかにスライドすることができるという知見に至った。
【０００９】
すなわち、本発明は、以下の［４］〜［６］を提供する。
［４］上下スライド式パーツを備えたスライド式スマートフォン用カバーであって、
前記スライド式スマートフォン用カバーに固定するスマートフォンの固定位置が、前記上下スライド式パーツの受け部表面及び前記上下スライド式パーツを設置した面のスマートフォン用カバー表面から垂直方向に３ｍｍ以上の距離を有することを特徴とする、スライド式スマートフォン用カバー。
このスライド式スマートフォン用カバーによれば、スマートフォンとスライド式スマートフォン用カバー表面の間に適切な距離を設けることにより、カメラ部の凹凸構造に影響することなく滑らかなスライドを発揮することができる。
［５］前記上下スライド式パーツが、スライド方向におけるスマートフォンの長さに対して２０％以上５０％以下の割合でスライドすることを特徴とする、［４］に記載のスライド式スマートフォン用カバー。
この特徴によれば、適切なスライド距離を確保することにより、カメラ部の配置に影響することなく十分なスライド幅を発揮することができる。
［６］前記上下スライド式パーツとスマートフォンの固定に、粘着面における気泡の発生を抑制する切り込み部を備える粘着シートを使用することを特徴とする、［４］又は［５］に記載のスライド式スマートフォン用カバー。
この特徴によれば、粘着シートの粘着面とスマートフォンとの間に形成された気泡内の空気を切り込み部から取り除くことが可能となるので、スマートフォンとの固定に優れたスライド式スマートフォン用カバーを提供することができる。
【考案の効果】
【００１０】
本考案によれば、カメラ部がスライド方向に広く配置されたスマートフォンをスライド式スマートフォン用カバーから脱着することなく、カメラ部をスライド式スマートフォン用カバー外へ十分にスライドすることができるスライド式スマートフォン用カバーを提供することができる。
【図面の簡単な説明】
【００１１】
【図１】本考案のスライド式スマートフォン用カバーの形状を示す概略説明図である。（Ａ）スライド式スマートフォン用カバーにおける平面図である。（Ｂ）スマートフォンを固定したスライド式スマートフォン用カバーにおける平面図である。（Ｃ）スマートフォンを上方向にスライドした状態における平面図である。（Ｄ）図１（Ｃ）における底面図である。
【図２】本考案のスライド式スマートフォン用カバーの形状を示す概略説明図である。（Ａ）スライド式スマートフォン用カバーにおける平面図である。（Ｂ）図２（Ａ）におけるｘ−ｘ’断面を示す断面図である。（Ｃ）スマートフォンを固定したスライド式スマートフォン用カバーにおける断面図である。（Ｄ）スマートフォンを固定したスライド式スマートフォン用カバーにおける断面図である。
【図３】本考案のスライド式スマートフォン用カバーの形状を示す概略説明図である。（Ａ）切り込み部を有する粘着シートにおける平面図である。（Ｂ）切り込み部を有する粘着シートを設置した上下スライド式パーツを備えたスライド式スマートフォン用カバーにおける平面図である。
【考案を実施するための形態】
【００１２】
以下、図面を参照しつつ本考案に係るスライド式スマートフォン用カバーの実施態様を詳細に説明する。
なお、実施態様に記載するスライド式スマートフォン用カバーについては、本考案に係るスライド式スマートフォン用カバーを説明するために例示したに過ぎず、これに限定されるものではない。
【００１３】
本考案のスライド式スマートフォン用カバーは、スライド方向におけるスマートフォンの長さに対して２０％以上５０％以下の割合でスライドする上下スライド式パーツを備えたスライド式スマートフォン用カバーである。
【００１４】
［第１の実施態様］
第１の実施態様は、スライド式スマートフォン用カバー１として、固定部材２を設置した保持台３と受け部４を有する上下スライド式パーツ５を備えたものである。
【００１５】
図１は、本考案の第１の実施態様におけるスライド式スマートフォン用カバー１の形状を示す概略説明図である。第１の実施態様におけるスライド式スマートフォン用カバー１は、図１（Ａ）に示すように、スマートフォンを固定するための固定部材２を設けた保持台３が受け部４において上下にスライドする上下スライド式パーツ５を備える。
【００１６】
スライド式スマートフォン用カバー１は、スマートフォンを保護するものである。
スライド式スマートフォン用カバー１の形状は、特に制限されるものではなく、固定するスマートフォンの形状や大きさなどに応じて適宜決定するものである。好ましいスライド式スマートフォン用カバー１の形状としては、スマートフォン全体を保護するという観点から、２つ折り形状の手帳型である。
【００１７】
図１（Ｂ）は、スマートフォン６を固定した第１の実施態様における手帳型のスライド式スマートフォン用カバー１における平面図である。スライド式スマートフォン用カバー１とスマートフォン６は、固定部材２により固定される。
固定部材２は、スライド式スマートフォン用カバー１とスマートフォン６を固定するものである。
固定部材２は、スライド式スマートフォン用カバー１とスマートフォン６を固定できるものであれば、特に制限されるものではない。固定部材２としては、例えば、粘着シート、接着テープ、接着剤などが挙げられる。好ましい固定部材２としては、固定と脱着を簡便に繰り返し行えるという観点から、粘着シートである。
また、固定部材２は、スライド式スマートフォン用カバー１の保持台３に設置された商品形態でもよいし、スライド式スマートフォン用カバー１とは別に提供されてもよい。
【００１８】
粘着シートの具体例としては、例えば、アクリル系粘着剤、ウレタン系粘着剤、シリコーン系粘着剤、合成ゴム系粘着剤、天然ゴム系粘着剤などを含む粘着剤層を有し、粘着部が剥離ライナーで保護されているものなどが挙げられる。
接着テープの具体例としては、例えば、紙、布、セロハンやアセテートなどのフィルム、金属箔などからなる基材の両面に接着剤が塗布され、接着部が剥離ライナーで保護されているものなどが挙げられる。
接着剤の具体例としては、天然ゴムなどの天然系又は、ビニル樹脂、フェノール樹脂などの合成系の接着成分を含有する有機系接着剤、ケイ酸ソーダやセラミックスなどの無機系接着剤などが挙げられる。
なお、剥離ライナーは、特に制限されるものではなく、例えば、シリコーン系、長鎖アルキル系、フッ素系、硫化モリブデンなどの剥離処理剤により表面処理された基材、フッ素ポリマーからなる低接着性材料、無極性ポリマーからなる低接着性材料などでもよい。
【００１９】
固定部材２の形状は、特に制限されるものではなく、例えば、図１（Ａ）に示すように、平面視において長方形状としてもよい。また、固定部材２の形状は、固定するスマートフォン６の形状などに応じて適宜決定するものであり、例えば、平面視において四隅に丸みがある長方形状、正方形状、円形状などでもよい。
固定部材２の大きさは、スマートフォン６に対して所望の固定力を維持できるものであれば、特に制限されるものではなく、例えば、スマートフォン６の平面視形状における面積の１０％以上９０％以下である。下限値としては、好ましくは２０％以上であり、より好ましくは３０％以上である。一方、上限値としては、好ましくは８０％以下であり、より好ましくは７０％以下である。
固定部材２の大きさを上記範囲とすることにより、固定部材２は、スライド式スマートフォン用カバー１とスマートフォン６を安定して固定することができる。
【００２０】
図２（Ｂ）は、図２（Ａ）に示した本考案の第１の実施態様におけるスライド式スマートフォン用カバー１におけるｘ−ｘ’断面を表す断面図である。上下スライド式パーツ５は、図２（Ｂ）に示すように保持台３の凸部８が受け部４の溝部９に連結された構造である。
なお、上下スライド式パーツ５における保持台３と受け部４の構造は、保持台３が上下にスライドできるものであれば、特に制限されるものではない。上下スライド式パーツ５における保持台３と受け部４の構造は、例えば、保持台３に溝部、受け部４に凸部を形成することで連結された構造でもよいし、ベルト状の受け部４を覆う保持台３がスライドするような構造でもよい。
また、上下スライド式パーツ５は、図２（Ｃ）に示すように、カバー部７に埋め込まれていてもよいし、図２（Ｄ）に示すように、カバー部７の表面に設置されていてもよい。
【００２１】
保持台３は、スマートフォン６を保持するものである。受け部４は、保持台３をスライド式スマートフォン用カバー１のカバー部７に保持するものである。また、保持台３、受け部４は、上下スライド式パーツ５において、スマートフォン６をスライドさせるための部材である。
保持台３の大きさは、固定部材２がスマートフォン６を固定でき、所望のスマートフォン６のスライド幅となるものであれば、特に制限されるものではない。
また、受け部４の大きさは、所望のスマートフォン６のスライド幅となるものであれば、特に制限されるものではない。
【００２２】
上下スライド式パーツ５は、図１（Ｂ）、（Ｃ）に示すように、スマートフォン６を上下にスライドさせるものである。
保持台３、受け部４を含めた上下スライド式パーツ５の材質は、特に制限されるものではなく、例えば、ポリエチレン、ポリプロピレン、ポリエチレンテレフタレート、アクリル、ポリ塩化ビニール、ポリスチレンなどの熱硬化性樹脂、アルミニウム、ステンレススチール、チタン、マグネシウムなどの金属、木などが挙げられる。好ましい上下スライド式パーツ５の材質としては、強度や耐久性に加え、高速・大容量化、低遅延化、多接続化が進む通信規格に対応するという観点から、熱硬化性樹脂である。
【００２３】
本考案の上下スライド式パーツ５のスライド幅は、特に制限されるものではなく、例えば、スマートフォン６の長さに対して２０％以上５０％以下の割合である。下限値としては、好ましくは２３％以上であり、より好ましくは２５％以上であり、更に好ましくは２７％以上、特に好ましくは３０％以上である。上限値としては、好ましくは４５％以下であり、より好ましくは４０％以下であり、更に好ましくは３５％以下である。
上下スライド式パーツ５におけるスライド幅を上記範囲とすることにより、図１（Ｄ）に示すように、本考案のスライド式スマートフォン用カバー１は、スマートフォン６のカメラレンズ１０が複数配置されたカメラ部１１をカバー外へ十分スライドすることができる。
【００２４】
カバー部７は、スマートフォンをカバーするものである。
カバー部７の材質は、特に制限されるものではなく、例えば、ポリエチレン、ポリプロピレン、ポリエチレンテレフタレート、アクリル、ポリ塩化ビニール、ポリスチレンなどの熱硬化性樹脂、アルミニウム、ステンレススチール、チタン、マグネシウムなどの金属、布、紙、木などが挙げられる。好ましいカバー部７の材質としては、強度や耐久性に加え、高速・大容量化、低遅延化、多接続化が進む通信規格に対応するという観点から、熱硬化性樹脂である。
【００２５】
以上の特徴により、本考案のスライド式スマートフォン用カバー１は、上下スライド式パーツ５の上下へのスライド幅が大きくなることで、カメラ部がスライド方向に広く配置されたスマートフォン６であっても、脱着することなくカメラ部１１をカバー外へ十分にスライドすることができる。
【００２６】
［第２の実施態様］
第２の実施態様は、スライド式スマートフォン用カバー１として、上下スライド式パーツ５とスマートフォン６の固定位置について、上下スライド式パーツ５の受け部４表面及び上下スライド式パーツを設置した面のスマートフォン用カバー表面から垂直方向に３ｍｍ以上の距離を設けたものである。
【００２７】
図２（Ｂ）は、図２（Ａ）に示した本考案の第２の実施態様におけるスライド式スマートフォン用カバー１におけるｘ−ｘ’断面を表す断面図である。上下スライド式パーツ５は、図２（Ｂ）に示すように保持台３の凸部８が受け部４の溝部９に連結された構造である。
なお、上下スライド式パーツ５における保持台３と受け部４の構造は、保持台３が上下にスライドできるものであれば、特に制限されるものではない。上下スライド式パーツ５における保持台３と受け部４の構造は、例えば、保持台３に溝部、受け部４に凸部を形成することで連結された構造でもよいし、ベルト状の受け部４を覆う保持台３がスライドするような構造でもよい。
また、上下スライド式パーツ５は、カバー部７に埋め込まれていてもよいし、カバー部７の表面に設置されていてもよい。
【００２８】
本考案のスライド式スマートフォン用カバー１は、図２（Ｃ）に示すように、上下スライド式パーツ５がカバー部７に埋め込まれている場合、上下スライド式パーツ５を設置した面のカバー部７の表面から固定部材２のスマートフォン６を固定する面の間に距離ｙを有する。また、図２（Ｄ）に示すように、上下スライド式パーツ５がカバー部７の表面に設置されている場合は、上下スライド式パーツ５の受け部４表面部から固定部材２のスマートフォン６を固定する面の間に距離ｙを有する。なお、上下スライド式パーツ５が部分的にカバー部７に埋め込まれている場合は、上下スライド式パーツ５の受け部４表面部から固定部材２のスマートフォン６を固定する面の間に距離ｙを有する。
本考案の上下スライド式パーツ５が設置された側のスマートフォン用カバー表面、及び上下スライド式パーツ５の受け部４表面部から、固定部材２のスマートフォン６を固定する面までの距離は、特に制限されるものではなく、例えば、垂直方向に３ｍｍ以上１０ｍｍ以下である。下限値としては、好ましくは４ｍｍ以上であり、より好ましくは５ｍｍ以上である。上限値としては、好ましくは８ｍｍ以下であり、より好ましくは６ｍｍ以下である。
上下スライド式パーツ５が設置された側のスマートフォン用カバー表面、及び上下スライド式パーツ５の受け部４表面部から、固定部材２のスマートフォン６を固定する面までの距離を上記範囲とすることにより、本考案のスライド式スマートフォン用カバー１は、スマートフォン６のカメラ部１１の凹凸構造によらず、スマートフォン６を滑らかにスライドすることができる。
【００２９】
以上の特徴により、本考案のスライド式スマートフォン用カバー１は、スマートフォン６の固定位置と、上下スライド式パーツを設置した面のスマートフォン用カバー表面、及び上下スライド式パーツ５の受け部４表面部との間に十分な距離を有することから、カメラ部の厚みが他の筐体部に対して大きくなっているスマートフォンであっても、厚みのある部分が上下スライド式パーツ５などに引っかかることなく、カメラ部１１をカバー外へ滑らかにスライドすることができる。
【００３０】
［その他の実施態様］
その他の実施態様としては、切り込みを有する粘着シート１２を備えたスライド式スマートフォン用カバー１である。
【００３１】
図３（Ａ）は、切り込み部を有する粘着シート１２における平面図である。粘着シート１２は、その中央部１３から端部１４に切り込み部１５を有する。
粘着シート１２は、固定部材２としてスライド式スマートフォン用カバー１とスマートフォン６を固定するものである。
粘着シート１２の形状は、特に制限されるものではなく、例えば、図３（Ａ）に示すように、平面視において四隅に丸みがある長方形状としてもよい。また、粘着シート１２の形状は、固定するスマートフォン６の形状などに応じて適宜決定するものであり、例えば、平面視において長方形状、正方形状、円形状などでもよい。
【００３２】
中央部１３は、任意の形状を有する粘着シート１２の端部１４から最も距離が近い地点、若しくは最も距離が遠い地点を中心とする円形であり、粘着シート１２の面積の５％〜２０％を占める領域である。中央部１３は、例えば、図３（Ａ）に示す破線で囲まれた円形領域である。
【００３３】
切り込み部１５は、粘着シート１２の両面を貫通した構造であり、中央部１３から端部１４まで形成される。
切り込み部１５の形状は、特に制限されるものではなく、例えば、図３（Ａ）に示す切り込み部１５のような平面視直線状の形状としてもよい。また、切り込み部１５の形状は、粘着シート１２の中心部１３から端部１４に形成されるように適宜決定するものであり、例えば、平面視ジグザグ状の形状、平面視波状の曲線形状などでもよい。
また、粘着シート１２における切り込み部１５の形成数は、特に制限されるものではなく、例えば、図３（Ａ）の粘着シート１２のように１本でもよいし、２本、３本、それ以上設けてもよい。
切り込み部１５は、粘着シート１２と固定するスマートフォン６及び保持台３の間に溜まる空気を端部１４に押し出すのに有効であり、粘着シート１２の粘着面における気泡の発生を抑制する作用を発揮する。
【００３４】
粘着シート１２の粘着力は、特に制限されるものではなく、例えば、引張強度として９．５ｋｇ／ｃｍ２以上１００ｋｇ／ｃｍ２以下である。下限値としては、好ましくは１０．０ｋｇ／ｃｍ２以上であり、より好ましくは１２．５ｋｇ／ｃｍ２以上である。一方、上限値としては、好ましくは５０ｋｇ／ｃｍ２以下であり、より好ましくは３０ｋｇ／ｃｍ２以下である。
粘着シート１２の粘着力を上記範囲とすることにより、粘着シート１２は、スマートフォン６との固定を十分に維持することができる。
【００３５】
粘着シート１２の大きさは、スマートフォン６に対して所望の接着力を維持できるものであれば、特に制限されるものではなく、例えば、スマートフォン６の平面視形状における面積の１０％以上９０％以下である。下限値としては、好ましくは２０％以上であり、より好ましくは３０％以上である。一方、上限値としては、好ましくは８０％以下であり、より好ましくは７０％以下である。
粘着シート１２の大きさを上記範囲とすることにより、粘着シート１２は、スマートフォン６に対して安定して固定することができる。
【００３６】
粘着シート１２の厚みは、特に制限されるものではなく、例えば、０．１ｍｍ以上５ｍｍ以下である。下限値としては、好ましくは０．３ｍｍ以上であり、より好ましくは０．５ｍｍ以上である。一方、上限値としては、好ましくは２ｍｍ以下であり、より好ましくは１ｍｍ以下である。
粘着シート１２の厚みを上記範囲とすることにより、粘着シート１２は、スマートフォン６の表面に段差などが形成されていても、粘着シート１２は段差に沿って変形して隙間なく密着することができる。
【００３７】
以上の特徴により、本考案のスライド式スマートフォン用カバー１は、固定するスマートフォン６を上下スライド式パーツ５に貼り付ける際に、保持台３と粘着シート１２の間に生じる空気を切り込み部１５を介して端部１４へ効率的に押し出して取り除くことができるので、スマートフォン６との接着性を向上させ、スマートフォン６の落下を効果的に防止することができる。
【産業上の利用可能性】
【００３８】
本考案によって、カメラ部を備えた様々な携帯型電子機器、例えば、スマートフォン、タブレット型コンピュータ、携帯電話、ＰＨＳ、デジタルカメラなどを、カメラ撮影時にスライド式携帯型電子機器用カバーから脱着することなく、カメラ部をカバー外へ十分かつ滑らかにスライドすることができる。
【符号の説明】
【００３９】
１…スライド式スマートフォン用カバー、２…固定部材、３…保持台、４…受け部、５…上下スライド式パーツ、６…スマートフォン、７…カバー部、８…凸部、９…溝部、１０…カメラレンズ、１１…カメラ部、１２…粘着シート、１３…中央部、１４…端部、１５…切り込み部
【図１】
0003225842.tif 000003
【図２】
0003225842.tif 000004
【図３】
0003225842.tif 000005